(57)【要約】【課題】蛍光管の配線及び保守、点検が容易にできる表示器を提供する。【解決手段】並設された複数の液晶パネル１と、複数の液晶パネル１の背面側に配置された蛍光管２と、蛍光管２の光を液晶パネル１側に反射する反射板３とを具備する。蛍光管２の両端部に対応した位置に、蛍光管１の両端の電極１８に接続されたリード線１６を外方から嵌入して挿通する切欠き部１１を設ける。上記切欠き部１１を介して引出されたリード線１５に接続されたコネクタ１６を具備する。【選択図】図１
2006184369.tif 000002
【特許請求の範囲】
【請求項１】
並設された複数の液晶パネル（１）と、この複数の液晶パネル（１）の背面側に配置された蛍光管（２）と、この蛍光管（２）の光を上記液晶パネル（１）側に反射する反射板（３）とを具備し、上記蛍光管（２）の両端部に対応した位置に、この蛍光管（２）の両端の電極（１８）に接続されたリード線（１５）を外方から嵌入して挿通する切欠き部（１１）を設けたことを特徴とする表示器。
【請求項２】
上記切欠き部（１１）を介して引出されたリード線（１５）に接続されたコネクタ（１６）を具備することを特徴とする請求項１の表示器。
【発明の詳細な説明】
【技術分野】
【０００１】
この発明は、液晶パネルの背面側に蛍光管が配置された表示器に関する。
【背景技術】
【０００２】
液晶表示器は、図３に示すように複数の液晶パネル５１が並設されてなる液晶パネル群５２を備え、各種用途に応じた情報（広告、ニュース、交通情報等）が表示される。そして、この液晶表示器としては、図４に示すように、液晶パネル５１のバックライトとして冷陰極蛍光管５３を使用した直下形液晶表示器があり、この場合、各段の液晶パネル群５２の背面側に反射板５４を配置し、この反射板５４上に冷陰極蛍光管５３が並べられ配置される。すなわち、液晶パネル５１の４枚分の横寸法に対応した反射板５４を設け、図４（ｂ）に示すように、反射板５４上に４本の冷陰極蛍光管５３を並設したものである。そして、冷陰極蛍光管５３のリード線５５は、図４（ａ）に示すように、反射板５４の背面５６側に開口する貫通孔（図示省略）を通って反射板５４の後部側でコネクタ５７に接続される。また、図４（ａ）と相違して、反射板５４の側面５８側に貫通孔を設け、リード線５５を通した例もある（例えば、特許文献１参照）。
【特許文献１】特開２００２−３２４４２５号公報
【発明の開示】
【発明が解決しようとする課題】
【０００３】
このような構造では、冷陰極蛍光管５３の配線において、リード線５５を貫通孔に挿通した後、コネクタ５７にリード線５５を接続する作業をする必要がある。このため、作業能率が悪く、冷陰極蛍光管５３が数多い場合、配線作業が非常に繁雑であった。また、コネクタ５７の配線を外した後でないと、冷陰極蛍光管５３を反射板５４から取外したり交換したりすることができなかった。
【０００４】
この発明は、上記事情を考慮してなされたもので、蛍光管の配線及び保守、点検が容易にできる表示器を提供することにある。
【課題を解決するための手段】
【０００５】
請求項１の表示器は、並設された複数の液晶パネル１と、この複数の液晶パネル１の背面側に配置された蛍光管２と、この蛍光管２の光を上記液晶パネル１側に反射する反射板３とを具備し、上記蛍光管の両端部に対応した位置に、この蛍光管２の両端の電極１８に接続されたリード線１５を外方から嵌入して挿通する切欠き部１１を設けたことを特徴としている。
【０００６】
請求項２の表示器は、上記切欠き部１１を介して引出されたリード線１５に接続されたコネクタ１６を具備することを特徴としている。
【発明の効果】
【０００７】
請求項１の表示器によれば、蛍光管の両端の電極に接続されたリード線を切欠き部に外方から嵌入して挿通させたり、切欠き部に挿通された状態からリード線を外方へ外せたりするので、配線作業の容易化を図ることができる。
【０００８】
請求項２の表示器によれば、蛍光管を反射板に配設する際、蛍光管のリード線を予めコネクタに接続した状態で、リード線を切欠き部に挿通した後、蛍光管を反射板上に載置することができる。これにより組立作業の容易化を図ることができる。また、両端側のリード線を、このリード線が挿通されている切欠き部から外方へ外すことにより、各リード線をコネクタに接続した状態で蛍光管を反射板から取外すことができる。このため、保守、点検時において、蛍光管を反射板から簡単に取外すことができ、作業性の向上を図ることができる。さらに、蛍光管を交換する場合、リード線が予めコネクタに接続された蛍光管を用意し、これらを一括して取り替えることができ、その交換作業が容易であって短時間に行うことができる。
【発明を実施するための最良の形態】
【０００９】
次に、この発明の表示器の具体的な実施の形態について、図面を参照しつつ詳細に説明する。図１はこの表示器の斜視図を示し、図２は表示器の要部拡大斜視図を示している。表示器は、並設された複数の液晶パネル１・・と、この複数の液晶パネル１・・の背面側に配置された蛍光管２・・と、蛍光管２・・の光を上記液晶パネル１・・側に反射する反射板３とを備える。この場合、並設された複数の液晶パネル１・・は液晶パネル群４を形成し、この液晶パネル群４が前後方向に沿って複数配置される。
【００１０】
この場合、反射板３は、基板部３ａと、この基板部３ａの外周に沿って配設される周壁３ｂとを備える。また、周壁３ｂは、前壁５と後壁６と側壁７、８とからなる。そして、側壁７、８には、それぞれ一対づつの開口部１０、１０が形成され、さらに、開口部１０に対応する基板部３ａの端縁部には、開口部１０の一対の開口端１２、１２側に設けられる一対の切欠き部１１、１１が形成されている。このため、この反射板３の両端部側にそれぞれ４つの切欠き部１１が形成されていることになる。なお、切欠き部１１は、図２に示すように、開口側の幅狭部１３と奥側の円形部１４とからなる。
【００１１】
また、蛍光管２は冷陰極蛍光管であり、その端部の電極１８、１８にリード線１５、１５が接続されている。この場合、蛍光管２は上記切欠き部１１に対応して４本配置される。そして、各蛍光管２のリード線１５・・は、図２に示すように、切欠き部１１・・に嵌合されて、この切欠き部１１・・を介してそれぞれ外部へ引出されてコネクタ１６・・に接続される。
【００１２】
この際、切欠き部１１はその幅狭部１３の寸法はリード線１５の外径寸法よりも僅かに大きい程度として、図２に仮想線で示す状態から矢印Ａのように幅狭部１３にリード線１５が挿入可能とされ、その幅狭部１３にリード線１５がガイドされて円形部１４に嵌入できるようになっている。そして、円形部１４としては、リード線１５の外径寸法よりも比較的大きな内径寸法とされ、リード線１５が円形部１４に遊嵌状に挿通されたことになる。
【００１３】
したがって、この表示器によれば、蛍光管２を反射板３に配設する際、蛍光管２のリード線１５を予めコネクタ１６に接続した状態で、外方側（開口部１０側）からリード線１５を、切欠き部１１に図２に示す矢印Ａ方向に沿って挿通した後、蛍光管２を反射板３上に載置することができる。これにより配線・組立作業の容易化を図ることができる。
【００１４】
また、両端側のリード線１５、１５を、切欠き部１１、１１からそれぞれ矢印Ｂ方向に沿って外方側（開口部１０側）へ外すことにより、各リード線１５、１５をコネクタ１６に接続した状態で蛍光管２を反射板３から取外すことができる。このため、保守、点検時において、蛍光管２を反射板３から簡単に取外すことができ、作業性の向上を図ることができる。
【００１５】
さらに、蛍光管２を交換する場合、リード線１５が予めコネクタ１６に接続された蛍光管２を用意し、これらを一括して取り替えることができ、その交換作業が容易であって短時間に行うことができる。
【００１６】
ところで、上記実施の形態においては、反射板３が蛍光管２を収納するケーシングを兼ねているが、他の実施の形態として、ケーシングと反射板３とを別部材にて構成してもよい。すなわち、図１に示す反射板３と同様な形状のケーシング（例えば、底壁と、この底壁の外周に沿って配設される周壁とからなるケーシング）を形成し、このケーシングの底壁に、このケーシングとは異なる部材にて形成される反射板（例えば、平板体からなる反射板）を配置するようにすればよい。この場合も、リード線１５が挿通される切欠き部１１を形成することになるが、この切欠き部１１としてはケーシングの端部側に形成すればよい。
【００１７】
以上にこの発明の具体的な実施の形態について説明したが、この発明は上記形態に限定されるものではなく、この発明の範囲内で種々変更して実施することができる。例えば、各液晶パネル群４のパネル数や液晶パネル群４の数の増減は任意に変更できる。また、蛍光管２の数も任意に変更することができ、これに応じて開口部１０及び切欠き部１１の数も変更できる。さらに、蛍光管２としても冷陰極蛍光管に限るものではない。また、切欠き部１１の形状としても図２に示すような形状のものに限らず、リード線１５を外方（外側方）から進入させることができ、外方（外側方）へ外すことができるものであればよい。なお、上記実施の形態では、反射板３が、基板部３ａと、この基板部３ａの外周に沿って配設される周壁３ｂとを備えたものであるが、この周壁３ｂを省略したもの、周壁３ｂのうち前壁５や後壁６を省略したもの、周壁３ｂのうち側壁７、８を省略したものであってもよい。
【図面の簡単な説明】
【００１８】
【図１】この発明の表示器の実施形態を示す斜視図である。
【図２】上記表示器の要部拡大斜視図である。
【図３】従来の表示器の簡略図である。
【図４】従来の表示器を示し、（ａ）は正面図であり、（ｂ）は平面図である。
【符号の説明】
【００１９】
１・・液晶パネル、２・・蛍光管、３・・反射板、１１・・切欠き部、１５・・リード線、１６・・コネクタ、１８・・電極
【図１】
2006184369.tif 000003
【図２】
2006184369.tif 000004
【図３】
2006184369.tif 000005
【図４】
2006184369.tif 000006